(57)【特許請求の範囲】
【請求項１】
タープポールやテントポールなどの屋外にテント類を張設するために設置されるテント用の立直ポールに取り付けるテント用の立直ポール取付収納棚であって、食器や食品などのテント内に収納しておく小物を載置する複数の棚板とこの上下に複数段間隔を置いて配設される複数の棚板を覆う通気性を有する収納カバーとから成る収納棚体の前記各棚板に、前記立直ポールを貫通状態に配設する取付孔部が設けられ、この収納棚体に上部を前記立直ポールの上部に固定して前記棚板がこの立直ポールの途中に吊り下げた状態に水平配設されるポール取付固定部が設けられ、この収納棚体の前記収納カバーに前記棚板上の前記小物を出し入れする取出部が設けられて、前記収納棚体の前記ポール取付固定部を前記立直ポールの上部に取り付けて、前記各棚板がこの立直ポールの途中の所定高さ位置に水平配設されるように構成され、前記ポール取付固定部は、前記立直ポールの上部に取付固定するポール連結部と、前記棚板の周辺部に連結固定して前記立直ポールの途中の所定高さに水平配設させる棚板連結部とが備えられた構成とされ、前記各棚板がメッシュ部若しくは多孔部を有する袋状の前記収納カバーで外側から覆い配設された構成とされ、この収納カバーは、ファスナーにより分離自在に構成されておりこのファスナーによる分離開放途中の開口部を前記各棚板上の前記小物を出し入れするための前記取出部とする構成とされていることを特徴とする立直ポール取付収納棚。
【請求項２】
前記ポール取付固定部は、前記立直ポールの上端部に取り付ける前記ポール連結部が設けられている吊下取付部に、前記立直ポールを前記取付孔部に貫通してこの立直ポールの途中に複数枚間隔を置いて水平配設される前記棚板の周辺部複数箇所に連結固定する前記棚板連結部が設けられた構成とされ、前記立直ポールを前記取付孔部に貫通してこの立直ポールの途中に水平配設される前記棚板が前記立直ポールに沿って上下動自在に設けられ、前記吊下取付部の前記ポール連結部と前記棚板連結部との距離を調整することで前記棚板の前記立直ポールに対する高さ位置が調整される取付位置調整機構が備えられていることを特徴とする請求項１記載の立直ポール取付収納棚。
【発明の詳細な説明】
【技術分野】
【０００１】
本発明は、タープポールやテントポールなどの屋外に設置される立直ポールの途中に取り付ける立直ポール取付収納棚に関するものである。
【背景技術】
【０００２】
例えば、キャンプや野外イベントあるいは登山などにおいて、食器や食品を取り出し自在に収納する収納棚があると便利である。
【０００３】
しかし、単に通気性の良い収納箱に入れて地面に置いたのでは取り出しづらいだけでなく、野外であるゆえにほこりにまみれ易いなどの問題がある。
【０００４】
そこで、通気性の良い袋状の収納棚体をタープポールやテントポールなどに吊り下げて、取り出し易く、ほこりにまみれにくい高さに吊り下げ設置できるものが提案されているが、吊り下げゆえに不安定であり収納物の出し入れが容易でなく、また風に揺れるため収納した食品や食器などの小物が容易にずれ動いてしまうなどの問題もあった。
【０００５】
また、ポールが傾いていれば、このポールの頂部に係止して吊り下げ設置すれば、収納棚体の棚板は水平配設されるが、前述のように単なる吊り下げ状態であるゆえに揺れによる前記問題も生じる。また、ポールが垂直に設置されている場合には、収納棚体はこの立直ポールに沿うが傾斜状態に吊り下げ設置されてしまうこととなり、一層不安定となってしまう。
【発明の概要】
【発明が解決しようとする課題】
【０００６】
本発明は、このような問題を解決したもので、立直ポールに安定性良く取り付けでき、棚板を立直ポールの途中高さ位置に水平配設できる構成のため、食品や食器などの収納物を棚板上に安定性良く収納できると共に、ほこりにまみれにくく、また出し入れし易い優れた立直ポール取付収納棚を提供することを目的としている。
【０００７】
例えば屋外用食器収納棚や屋外用食品収納棚として最適な立直ポール取付収納棚を提供することを目的としている。
【課題を解決するための手段】
【０００８】
添付図面を参照して本発明の要旨を説明する。
【０００９】
タープポールやテントポールなどの屋外にテント類を張設するために設置されるテント用の立直ポール１に取り付けるテント用の立直ポール取付収納棚であって、食器や食品などのテント内に収納しておく小物２を載置する複数の棚板３とこの上下に複数段間隔を置いて配設される複数の棚板３を覆う通気性を有する収納カバー４とから成る収納棚体Ａの前記各棚板３に、前記立直ポール１を貫通状態に配設する取付孔部５が設けられ、この収納棚体Ａに上部を前記立直ポール１の上部に固定して前記棚板３がこの立直ポール１の途中に吊り下げた状態に水平配設されるポール取付固定部６が設けられ、この収納棚体Ａの前記収納カバー４に前記棚板３上の前記小物２を出し入れする取出部７が設けられて、前記収納棚体Ａの前記ポール取付固定部６を前記立直ポール１の上部に取り付けて、前記各棚板３がこの立直ポール１の途中の所定高さ位置に水平配設されるように構成され、前記ポール取付固定部６は、前記立直ポール１の上部に取付固定するポール連結部８と、前記棚板３の周辺部に連結固定して前記立直ポール１の途中の所定高さに水平配設させる棚板連結部９とが備えられた構成とされ、前記各棚板３がメッシュ部若しくは多孔部を有する袋状の前記収納カバー４で外側から覆い配設された構成とされ、この収納カバー４は、ファスナー12により分離自在に構成されておりこのファスナー12による分離開放途中の開口部を前記各棚板３上の前記小物２を出し入れするための前記取出部７とする構成とされていることを特徴とする立直ポール取付収納棚に係るものである。
【００１０】
また、前記ポール取付固定部６は、前記立直ポール１の上端部に取り付ける前記ポール連結部８が設けられている吊下取付部10に、前記立直ポール１を前記取付孔部５に貫通してこの立直ポール１の途中に複数枚間隔を置いて水平配設される前記棚板３の周辺部複数箇所に連結固定する前記棚板連結部９が設けられた構成とされ、前記立直ポール１を前記取付孔部５に貫通してこの立直ポール１の途中に水平配設される前記棚板３が前記立直ポール１に沿って上下動自在に設けられ、前記吊下取付部10の前記ポール連結部８と前記棚板連結部９との距離を調整することで前記棚板３の前記立直ポール１に対する高さ位置が調整される取付位置調整機構11が備えられていることを特徴とする請求項１記載の立直ポール取付収納棚に係るものである。
【発明の効果】
【００１１】
本発明は上述のように構成したから、立直ポールに安定性良く取り付けでき、棚板を立直ポールの途中高さ位置に水平配設できる構成のため、食品や食器などの収納物を棚板上に安定性良く収納できると共に、ほこりにまみれにくく、また出し入れし易い優れた立直ポール取付収納棚となる。特に屋外用食器収納棚や屋外用食品収納棚として最適な立直ポール取付収納棚となる。
【００１２】
また、本発明においては、収納カバーを外付けできると共に、この外付けするための分離用ファスナーにより分離開放する分離途中の開口部を取出部とする構成とされているため、簡易な構成で本発明を一層容易に実現できると共に、取り付けも容易となる極めて実用性に優れた立直ポール取付収納棚となる。
【００１３】
また、請求項２記載の発明においては、取付位置（棚板の水平配設位置）を上下に調整でき、一層実用性に優れた立直ポール取付収納棚となる。
【図面の簡単な説明】
【００１４】
【図１】本実施例の使用状態を示す説明正面図である。
【図２】本実施例の使用状態を示す説明斜視図である。
【図３】本実施例の取出部を開口した状態の使用状態を示す説明斜視図である。
【図４】本実施例の収納カバーを分離させた状態の使用状態を示す説明分解斜視図である。
【図５】本実施例の収納カバーを取り除いた状態の使用状態を示す説明斜視図である。
【図６】本実施例のポール取付固定部の構成説明図である。
【図７】本実施例の使用状態を示す説明正断面図である。
【図８】本実施例の傾斜したポールに吊り下げ状態に取り付けた別使用例での説明正面図である。
【発明を実施するための形態】
【００１５】
好適と考える本発明の実施形態を、図面に基づいて本発明の作用を示して簡単に説明する。
【００１６】
タープポールやテントポールなどの屋外に設置される立直ポール１に棚板３（複数枚で構成される場合は順次各棚板３）を通し、ポール取付固定部６をこの立直ポール１に取り付けることで、収納カバー４で覆われる前記棚板３が立直ポール１の途中の高さ位置に水平配設される収納棚体Ａを立直ポール１に安定性良く取り付けることができる。
【００１７】
したがって、キャンプや野外イベントなどにおいて、食品や食器などの小物を風通しの良い状態で、地面より高く取り出し易い位置であって、ほこりにまみれにくい高さに、安定性良く収納保管できる。
【００１８】
すなわち、立直ポール１に取り付けるため、棚板３の取付孔部５に立直ポール１を貫通させた状態で水平配設するから、立直ポール１であっても安定性良く水平配設でき、収納した小物２を安定性良く保管できる。
【００１９】
また、この棚板３を通気性を有する収納カバー４が覆い、この収納カバー４には取出部７が設けられているから、例えば、洗浄した食器を乾かすために収納する屋外用食器収納棚や調理済み食品などを一時収納しておく屋外用食品収納棚として最適な立直ポール取付収納棚となる。
【実施例】
【００２０】
本発明の具体的な実施例について図面に基づいて説明する。
【００２１】
本実施例は、タープポールやテントポールなどの屋外に設置される立直ポール１に取り付ける立直ポール取付収納棚であって、食器や食品などの小物２を載置する（多孔板を採用した）棚板３とこの棚板３を覆う通気性を有する収納カバー４とから成る収納棚体Ａに、前記立直ポール１に固定して前記棚板３がこの立直ポール１の途中に水平配設されるポール取付固定部６が設けられている構成としている。
【００２２】
具体的には、前記収納棚体Ａの前記棚板３に前記ポール取付固定部６が設けられ、このポール取付固定部６を前記立直ポール１に取り付けて、前記棚板３がこの立直ポール１の途中の所定高さ位置に水平配設されるように構成している。
【００２３】
更に説明すると、本実施例の収納棚体Ａの各棚板３の中央部には、前記立直ポール１を貫通状態に配設する取付孔部５が設けられ、前記立直ポール１を前記取付孔部５に貫通してこの立直ポール１の途中に上下複数段間隔を置いて複数の棚板３が水平配設されるように構成している。
【００２４】
また、本実施例の前記ポール取付固定部６は、前記立直ポール１に取付固定するポール連結部８と、前記立直ポール１を前記取付孔部５に貫通配設して水平配設される前記棚板３に連結固定する棚板連結部９とが備えられた構成としている。
【００２５】
具体的には、前記立直ポール１の上端部に取り付ける前記ポール連結部８が設けられている吊下取付部10に、前記立直ポール１を前記取付孔部５に貫通してこの立直ポール１の途中に複数枚間隔を置いて水平配設される前記棚板３に連結固定する前記棚板連結部９とが設けられている構成としている。
【００２６】
また、前記立直ポール１を前記取付孔部５に貫通してこの立直ポール１の途中に水平配設される前記棚板３が前記立直ポール１に沿って上下動自在に設けられ、前記吊下取付部10の前記ポール連結部８と前記棚板連結部９との距離を調整することで前記棚板３の前記立直ポール１に対する高さ位置が調整される取付位置調整機構11が備えられている構成としている。
【００２７】
具体的には、本実施例のポール取付固定部６の前記吊下取付部10は、立直ポール１の途中に巻き回して挿通環に挿通した後に折り返して止着部に止着する締付ベルト部13が上下に設けられ、この上下の締付ベルト部13間に複数の保持ベルト14が垂下状態に設けられ、この各保持ベルト14には上下複数間隔を置いて立直ポール１が貫通配設された状態で水平配設される各棚板３の周辺部に連結する棚板連結部９が上下方向に複数設けられた構成としている。
【００２８】
この棚板連結部９は、前記保持ベルト14に連結ベルト15が設けられた構成で、この連結ベルト15を棚板３の周辺部に設けた連結孔16に通して折り返し止着して各棚板３を所定高さ位置に保持する構成としている。
【００２９】
また、この吊下取付部10の上側に設けるポール連結部８は、長さ調整自在に構成された吊下ベルト17に、立直ポール１の頂部の係止杆18に係止する係止孔19が設けられた構成とし、この係止孔19を係止杆18に係止して前記吊下ベルト17を介して前記吊下取付部10を吊り下げ保持し、この吊下ベルト17の長さ（折り返し長）を調整して前記吊下取付部10の前記棚板連結部９の高さを調整することで、この棚板連結部９により連結保持されている各棚板３の高さ位置を調整し、その後上下の前記締付ベルト部13で立直ポール１に巻回締め付け固定する構成としている。
【００３０】
また、本実施例の収納棚体Ａは、このポール取付固定部６により前記立直ポール１の途中の所定高さに水平配設される前記棚板３が、メッシュ部若しくは多孔部を有する袋状の前記収納カバー４で外側から覆い配設される構成としており、この収納棚体Ａの収納カバー４には前記棚板３上の前記小物２を出し入れする取出部７が設けられている構成としている。
【００３１】
具体的には、前記収納カバー４は、前記棚板３上の前記小物２を出し入れ開閉自在な前記取出部７が設けられたメッシュ部若しくは多孔部を有する袋状の収納カバー４とし、この収納カバー４はファスナー12により分離自在に構成されており、このファスナー12により分離開放途中の開口部を開閉自在な前記取出部７とした構成としている。
【００３２】
更に具体的に説明すると、本実施例の収納カバー４は、各棚板３間にメッシュ部が設けられた袋状の布製カバーであって、正面と背面とに上下に走行するファスナー12が設けられ、この上下方向のファスナー12で左右を分断することで、二体に分離される構成とし、またこの収納カバー４の上端部と下端部とに、前記ポール取付固定部６の前記吊下取付部10の前記上下の締付ベルト部13に止着するカバー止着部20が設けられていて、この収納カバー４を外付けできる構成とすると共に、このファスナー12を開くことで分離開放途中の開口部が棚板３上の小物２を出し入れする取出部７となるように構成している。
【００３３】
また、図８に示すように傾斜しているポールに取り付けたい場合には、本実施例では、従来通り単にポール取付固定部６のポール連結部８をこのポールの頂部に係止することで吊り下げ設置することも可能である。
【００３４】
尚、本発明は、本実施例に限られるものではなく、各構成要件の具体的構成は適宜設計し得るものである。
【符号の説明】
【００３５】
Ａ  収納棚体
１  立直ポール
２  小物
３  棚板
４  収納カバー
５  取付孔部
６  ポール取付固定部
７  取出部
８  ポール連結部
９  棚板連結部
10  吊下取付部
11  取付位置調整機構
12  ファスナー
【図１】
0006317723.tif 000002
【図２】
0006317723.tif 000003
【図３】
0006317723.tif 000004
【図４】
0006317723.tif 000005
【図５】
0006317723.tif 000006
【図６】
0006317723.tif 000007
【図７】
0006317723.tif 000008
【図８】
0006317723.tif 000009